(57)【特許請求の範囲】
【請求項１】
表示装置の表示面上に対向配列された複数の発光受光パッケージと、
前記発光受光パッケージの光出射／光入射方向に対向したライトガイドレンズと
を具備し、
前記各発光受光パッケージは前記表示面に対して縦置された一対の発光素子及び受光素子を有し、
前記各発光受光パッケージの発光素子は前記表示面上に対向配列された前記発光受光パッケージの受光素子と対向し、
前記ライトガイドレンズの２つの入出射面の少なくとも１つは、横から見て１つの凸状となり、他の１つは、横から見て、Ｖ字状になっている光学式タッチパネル。
【請求項２】
表示装置の表示面上に対向配列された複数の発光受光パッケージを具備し、
前記各発光受光パッケージは前記表示面に対して縦置された一対の発光素子及び受光素子を有し、
前記各発光受光パッケージの発光素子は前記表示面上に対向配列された前記発光受光パッケージの受光素子と対向し、
前記各発光受光パッケージは、
前記発光素子及び前記受光素子が搭載された基板と、
前記発光素子及び前記受光素子を樹脂封止する樹脂層と
を具備し、
前記発光素子に対向する前記樹脂層の表面は該発光素子の面に対して傾斜させて前記発光素子の光の前記受光素子への戻りを抑制した光学式タッチパネル。
【発明の詳細な説明】
【技術分野】
【０００１】
本発明は光学式タッチパネルに関する。
【０００２】
図８は第１の従来の光学式タッチパネルを示す上面図である。
【０００３】
図８において、１は表示面を規定するガラス基板、たとえば液晶表示装置の上側ガラス基板であって、その上には２つの基板２Ｘ−ａ、２Ｘ−ｂがＹ方向で対向配列され、他方、２つの基板２Ｙ−ａ、２Ｙ−ｂがＸ方向で対向配列されている。
【０００４】
基板２Ｘ−ａ上には、Ｘ方向発光素子たとえば発光ダイオード（ＬＥＤ）素子３Ｘ−ａが等間隔で配列されている。また、基板２Ｘ−ｂ上には、Ｘ方向受光素子たとえばフォトトランジスタ素子３Ｘ−ｂが各ＬＥＤ素子３Ｘ−ａに対向して等間隔で配列されている。
【０００５】
他方、基板２Ｙ−ａ上には、Ｙ方向発光素子たとえばＬＥＤ素子３Ｙ−ａが等間隔で配列されている。また、基板２Ｙ−ｂ上には、Ｙ方向受光素子たとえばフォトトランジスタ素子３Ｙ−ｂが各ＬＥＤ素子３Ｙ−ａに対向して等間隔で配列されている。
【０００６】
ＬＥＤ素子３Ｘ−ａから発射した光ＬＸ１は、表示面上を通過し、フォトトランジスタ素子３Ｘ−ｂに到達する。この場合、表示面上に物体たとえば指が存在すると、光ＬＸ１は遮断されてフォトトランジスタ素子３Ｘ−ｂに到達しない。従って、フォトトランジスタ素子３Ｘ−ｂが光ＬＸ１を検出するか否かによって物体Ａが光ＬＸ１の座標Ｘ１上に存在するか否かを判別できる。他方、ＬＥＤ素子３Ｙ−ａから発射した光ＬＹ１は、表示面上を通過してフォトトランジスタ素子３Ｙ−ｂに到達する。この場合、表示面上に物体Ａたとえば指が存在すると、光ＬＹ１は遮断されてフォトトランジスタ素子３Ｙ−ｂに到達しない。従って、フォトトランジスタ素子３Ｙ−ｂが光ＬＹ１を検出するか否かによって物体Ａが光ＬＹ１の座標Ｙ１上に存在するか否かを判別できる。
【０００７】
このように、光ＬＸ１、光ＬＹ１の有無によって物体Ａが座標（Ｘ１，Ｙ１）上に存在するか否かを判別できる。
【０００８】
しかしながら、図８の光学式タッチパネルにおいて、物体Ａ以外に物体Ｂ、Ｃ、Ｄが同時存在した場合、光ＬＸ１、ＬＸ２の検出光と光ＬＹ１、光ＬＹ２の検出光とは直交しているので、物体Ｂ、Ｃは物体Ａの影となって検出できず、また、物体Ｄは物体Ｂ、Ｃの影となって検出できない。つまり、２本以上の指のマルチタッチが不可能であった。
【０００９】
図９は第２の従来の光学式タッチパネルを示す上面図である。
【００１０】
図９においては、図８のＬＥＤ素子３Ｘ−ａ、フォトトランジスタ素子３Ｘ−ｂ、ＬＥＤ素子３Ｙ−ａ及びフォトトランジスタ素子３Ｙ−ｂを発光受光パッケージ３Ｘ’−ａ、３Ｘ’−ｂ、３Ｙ’−ａ、３Ｙ’−ｂに置換したものである。各発光受光パッケージ３Ｘ’−ａ、３Ｘ’−ｂ、３Ｙ’−ａ、３Ｙ’−ｂは同一構成をなしており、横置きした発光素子たとえばＬＥＤ素子３１及び受光素子たとえばフォトトランジスタ３２によって構成されている。従って、反射型フォトインタラプタ技術を利用して物体Ａ、Ｂ、Ｃ、Ｄを検出できる。
【００１１】
たとえば、発光受光パッケージ３Ｘ’−ａのＬＥＤ素子３１から発射した光ＬＸ１は表示面上の物体Ａによって反射されてそのフォトトランジスタ３２に到達し、また、発光受光パッケージ３Ｙ’−ａのＬＥＤ素子３１から発射した光ＬＹ１は表示面上の物体Ａによって反射されてそのフォトトランジスタ３２に到達し、これにより、反射光ＬＸ１、ＬＹ１の有無によって物体Ａが座標（Ｘ１，Ｙ１）上に存在するか否かを判別できる。
【００１２】
また、発光受光パッケージ３Ｘ’−ａのＬＥＤ素子３１から発射した光ＬＸ２は表示面上の物体Ｂによって反射されてそのフォトトランジスタ３２に到達し、また、発光受光パッケージ３Ｙ’−ｂのＬＥＤ素子３１から発射した光ＬＹ２は表示面上の物体Ｂによって反射されてそのフォトトランジスタ３２に到達し、これにより、反射光ＬＸ２、ＬＹ２の有無によって物体Ｂが座標（Ｘ２，Ｙ２）上に存在するか否かを判別できる。
【００１３】
さらに、発光受光パッケージ３Ｘ’−ｂのＬＥＤ素子３１から発射した光ＬＸ３は表示面上の物体Ｃによって反射されてそのフォトトランジスタ３２に到達し、また、発光受光パッケージ３Ｙ’−ｂのＬＥＤ素子３１から発射した光ＬＹ３は表示面上の物体Ｃによって反射されてそのフォトトランジスタ３２に到達し、これにより反射光ＬＸ３、ＬＹ３の有無によって物体Ｃが座標（Ｘ３，Ｙ３）上に存在するか否かを判別できる。
【００１４】
さらにまた、発光受光パッケージ３Ｘ’−ｂのＬＥＤ素子３１から発射した光ＬＸ４は表示面上の物体Ｄによって反射されてそのフォトトランジスタ３２に到達し、また、発光受光パッケージ３Ｙ’−ｂのＬＥＤ素子３１から発射した光ＬＹ４は表示面上の物体Ｄによって反射されてそのフォトトランジスタ３２に到達し、これにより、反射光ＬＸ４、ＬＹ４の有無によって物体Ｄが座標（Ｘ４，Ｙ４）上に存在するか否かを判別できる。
【発明の概要】
【発明が解決しようとする課題】
【００１５】
しかしながら、上述の図９に示す第２の従来の光学式タッチパネルにおいては、発光受光パッケージ３Ｘ’−ａ、３Ｘ’−ｂ、３Ｙ’−ａ、３Ｙ’−ｂのＬＥＤ素子３１の配光特性及びフォトトランジスタ３２の配光特性が左右にずれてフォトトランジスタ３２のノイズが大きくなるという課題がある。
【課題を解決するための手段】
【００１６】
上述の課題を解決するために、本発明に係る光学式タッチパネルは、表示装置の表示面上に対向配列された複数の発光受光パッケージと発光受光パッケージの光出射／光入射方向に対向したライトガイドレンズとを具備し、各発光受光パッケージは表示面に対して縦置された一対の発光素子及び受光素子を有し、各発光受光パッケージの発光素子は表示面上に対向配列された発光受光パッケージの受光素子と対向、ライトガイドレンズの２つの入出射面の少なくとも１つは、横から見て１つの凸状となり、他の１つは、横から見て、Ｖ字状となっている。これにより、発光受光パッケージの発光素子の配光特性及び受光素子の配光特性が左右にずれても受光素子のノイズは大きくならない。また、発光受光パッケージの光の導光作用及び集光作用を果たす。
【００１８】
また、本発明に係る光学式タッチパネルは、表示装置の表示面上に対向配列された複数の発光受光パッケージを具備し、各発光受光パッケージは表示面に対して縦置された一対の発光素子及び受光素子を有し、各発光受光パッケージの発光素子は表示面上に対向配列された発光受光パッケージの受光素子と対向し、各発光受光パッケージは、発光素子及び受光素子が搭載された基板と、発光素子及び受光素子を樹脂封止する樹脂層とを具備し、発光素子に対向する樹脂層の表面は発光素子の面に対して傾斜させて発光素子の光の受光素子への戻りを抑制するものである。これにより、発光受光パッケージ内の内部ノイズが低減する。
【発明の効果】
【００１９】
本発明によれば、発光受光パッケージの発光素子の配光特性及び受光素子の配光特性が左右にずれても受光素子のノイズを抑制できる。
【図面の簡単な説明】
【００２０】
【図１】本発明に係る第１の光学式タッチパネルの実施の形態を示す上面図である。
【図２】図１の発光受光パッケージの斜視図である。
【図３】図１のIII-III線断面図である。
【図４】本発明に係る光学式タッチパネルの第２の実施の形態を示す上面図である。
【図５】図４のV-V線断面図である。
【図６】図５の発光受光パッケージの変更例を示す図である。
【図７】図１、図４の光学式タッチパネルの動作を説明するためのタイミング図である。
【図８】第１の従来のタッチパネルを示す上面図である。
【図９】第２の従来のタッチパネルを示す上面図である。
【発明を実施するための形態】
【００２１】
図１は本発明に係る光学式タッチパネルの第１の実施の形態を示す上面図である。
【００２２】
図１において、図９の各発光受光パッケージ３Ｘ’−ａ、３Ｘ’−ｂ、３Ｙ’−ａ、３Ｙ’−ｂを発光受光パッケージ３Ｘ”−ａ、３Ｘ”−ｂ、３Ｙ”−ａ、３Ｙ”−ｂに置換したものである。各発光受光パッケージ３Ｘ”−ａ、３Ｘ”−ｂ、３Ｙ”−ａ、３Ｙ”−ｂにおいては、ＬＥＤ素子３１及びフォトトランジスタ素子３２が縦置きされており、従って、ＬＥＤ素子３１の配光特性及びフォトトランジスタ素子３２の配光特性が左右にずれても、フォトトランジスタ素子３２のノイズは大きくならない。
【００２３】
図２は図１の発光受光パッケージを示し、（Ａ）は発光受光パッケージ３Ｘ”−ａ（３Ｙ”−ａ）の斜視図、（Ｂ）発光受光パッケージ３Ｘ”−ｂ（３Ｙ”−ｂ）の斜視図である。
【００２４】
図２の（Ａ）に示すように、発光受光パッケージ３Ｘ”−ａ（３Ｙ”−ａ）においては、基板３０上にＬＥＤ素子３１及びフォトトランジスタ素子３２が実装され、ＬＥＤ素子３１及びフォトトランジスタ素子３２が樹脂層３３によって樹脂封止されている。この場合、ＬＥＤ素子３１が上側でフォトトランジスタ素子３２が下側に縦置にされている。
【００２５】
他方、図２の（Ｂ）に示すように、発光受光パッケージ３Ｘ”−ｂ（３Ｙ”−ｂ）においても、基板３０上にＬＥＤ素子３１及びフォトトランジスタ素子３２が実装され、ＬＥＤ素子３１及びフォトトランジスタ素子３２が樹脂層３３によって樹脂封止されているが、この場合、ＬＥＤ素子３１が下側でフォトトランジスタ素子３２が上側に縦置にされている。
【００２６】
図３は図１のIII-III線断面図である。
【００２７】
図３に示すように、発光受光パッケージ３Ｘ”−ａのＬＥＤ素子３１と発光受光パッケージ３Ｘ”−ｂのフォトトランジスタ素子３２とが対向配列され、また、発光受光パッケージ３Ｘ”−ｂのＬＥＤ素子３１と発光受光パッケージ３Ｘ”−ａのフォトトランジスタ素子３２とが対向配列されている。
【００２８】
従って、図１の光学式タッチパネルは図９の光学式タッチパネルと同様の動作を行う。しかし、図１の光学式タッチパネルにおいては、ＬＥＤ素子３１の配光特性及びフォトトランジスタ素子３２の配光特性が縦方向にずれると、フォトトランジスタ素子３２のノイズが大きくなることがある。
【００２９】
図４は本発明に係る光学式タッチパネルの第２の実施の形態を示す上面図である。図４においては、図１の発光受光パッケージ３Ｘ”−ａに対して１つのライトガイドレンズ４Ｘ−ａを設け、発光受光パッケージ３Ｘ’−ｂに対して１つのライトガイドレンズ４Ｘ−ｂを設け、発光受光パッケージ３Ｙ”−ａに対して１つのライトガイドレンズ４Ｙ−ａを設け、発光受光パッケージ３Ｙ’−ｂに対して１つのライトガイドレンズ４Ｙ−ｂを設けている。
【００３０】
図５は図４のV-V線断面図である。
【００３１】
図５の（Ａ）に示すように、ライトガイドレンズ４Ｘ−ａ、４Ｘ−ｂの入出射面の少なくとも１つは横から見て２つの凸状あるいはＲ状となっている。これにより、ライトガイドレンズ４Ｘ−ａ、４Ｘ−ｂの中央部分は導光作用をなし、ライトガイドレンズ４Ｘ−ａ、４Ｘ−ｂの凸状部分は集光作用をなす。
【００３２】
また、図５の（Ａ）においては、発光受光パッケージ３Ｘ”−ａ、３Ｘ”−ｂのＬＥＤ素子３１に対向する樹脂層３３の表面を傾斜させている。これにより、ＬＥＤ素子３１から発射された光が樹脂層３３の表面を反射して自分のフォトトランジスタ素子３２へのノイズとして戻り入射を抑制する。
【００３３】
また、図５の（Ｂ）に示すように、ライトガイドレンズ４Ｘ’−ａ、４Ｘ’−ｂの入出射面の１つは横から見て１つの凸状あるいはＲ状となっており、他の１つはＶ字状をなしている。これにより、ライトガイドレンズ４Ｘ’−ａ、４Ｘ’−ｂの中央部分は導光作用をなし、ライトガイドレンズ４Ｘ’−ａ、４Ｘ’−ｂの凸状部分及びＶ字状部分は集光作用をなす。
【００３４】
また、図５の（Ｂ）においても、発光受光パッケージ３Ｘ”−ａ、３Ｘ”−ｂのＬＥＤ素子３１に対向する樹脂層３３の表面を傾斜させている。これにより、ＬＥＤ素子３１から発射された光が樹脂層３３の表面を反射して自分のフォトトランジスタ素子３２へのノイズとして戻りを抑制する。
【００３５】
図６は図５の発光受光パッケージ３Ｘ”−ａの変更例を示す図である。図６に示すように、樹脂層３３の表面を傾斜させる代りに、樹脂層３３をＬＥＤ素子３１、フォトトランジスタ素子３２に対して区分するように反射層６１を設けたものである。
【００３６】
図７は図１、図４の光学式タッチパネルの動作を説明するためのタイミング図である。すなわち、発光受光パッケージ３Ｘ”−ａ（３Ｙ”−ａ）のＬＥＤ素子３１と発光受光パッケージ３Ｘ”−ｂ（３Ｙ”−ｂ）のＬＥＤ素子３１とを同時に動作させないように、時分割動作させると共に、フォトトランジスタ素子３２はＬＥＤ素子３１からの透過光及び物体からの反射光を検出するために常に同期動作させる。
【符号の説明】
【００３７】
１：ガラス基板
２Ｘ−ａ、２Ｘ−ｂ，２Ｙ−ａ、２Ｙ−ｂ：基板
３Ｘ−ａ、３Ｙ−ａ：LED素子
３Ｘ−ｂ、３Ｙ−ｂ：フォトトランジスタ素子
３Ｘ’−ａ、３Ｘ’−ｂ、３Ｙ’−ａ、３Ｙ’−ｂ、３Ｘ”−ａ、３Ｘ”−ｂ、３Ｙ”−ａ、３Ｙ”−ｂ：発光受光パッケージ 
４Ｘ−ａ、４Ｘ−ｂ，４Ｙ−ａ、４Ｙ−ｂ：ライトガイドレンズ
３０：基板
３１：ＬＥＤ素子
３２：フォトトランジスタ素子
３３：樹脂層
６１：反射層
【図１】
0005943699.tif 000002
【図２】
0005943699.tif 000003
【図３】
0005943699.tif 000004
【図４】
0005943699.tif 000005
【図５】
0005943699.tif 000006
【図６】
0005943699.tif 000007
【図７】
0005943699.tif 000008
【図８】
0005943699.tif 000009
【図９】
0005943699.tif 000010